(57)【要約】【課題】ユーザが事前に入力したキーワードに対応する所望の番組情報が事前に検索され、保持されるような機能を設け、送り元に影響を受けず電子番組情報を得られるようにした。【解決手段】電子番組情報を受信し受信電子番組情報を得る電子番組情報受信部と、キーワードを入力し、保存するキーワード入力及び保存部を有する。受信された受信電子番組情報の中から、キーワードに対応する受信電子番組情報を抽出し、抽出電子番組情報として出力する手段を有する。そして抽出された抽出電子番組情報を保存し、表示できるようにした。【選択図】      図１
2005142752.tif 000002
【特許請求の範囲】
【請求項１】
電子番組情報を受信し、受信電子番組情報として出力する電子番組情報受信部と、
前記電子番組情報に含まれるキーワードを入力し、保存するキーワード入力及び保存部と、
前記電子番組情報受信部で受信された受信電子番組情報の中から、前記キーワード入力及び保存部に保存されているキーワードに対応する受信電子番組情報を抽出し、抽出電子番組情報として出力する電子番組情報抽出手段と、
前記電子番組情報抽出手段で抽出された抽出電子番組情報を保存する抽出電子番組情報保存手段とを具備したことを特徴とする番組情報の処理装置。
【請求項２】
前記電子番組情報抽出手段は、前記抽出電子番組情報に対して、対応するキーワードの情報を付加することを特徴とする請求項１記載の番組情報の処理装置。
【請求項３】
前記抽出電子番組情報保存手段からの出力電子番組情報を表示部に出力する手段を具備したことを特徴とする請求項２記載の番組情報の処理装置。
【請求項４】
前記電子番組情報受信部から出力された受信電子番組情報を記憶する記憶部が設けられていることを特徴とする請求項２記載の番組情報の処理装置。
【請求項５】
少なくとも前記電子番組情報受信部と、電子番組情報抽出手段と、抽出電子番組情報保存手段とを定期的に自動動作させる手段を具備したことを特徴とする請求項１記載の番組情報の処理装置。
【発明の詳細な説明】
【技術分野】
【０００１】
本発明は、電子番組ガイド（ＥＰＧ）情報と称するを効率的に取り扱うことができるようにした番組情報の処理と表示装置に関する。
【背景技術】
【０００２】
従来、テレビ放送に関する番組情報として電子番組ガイド（Electronics Program Guide）、がある、以下電子番組情報と称する。近年ではデジタルテレビジョン放送、アナログ放送、衛星（ＢＳ）放送、通信衛星（ＣＳ）放送など各種の放送が普及し、チャンネル数も非常に多くなっている。このような環境の中で、番組検索を容易に得られるように、電子番組情報を処理する番組検索装置が開発されるようになってきた。
【特許文献１】特開２００３−２８３９４７号公報
【発明の開示】
【発明が解決しようとする課題】
【０００３】
従来の番組検査装置では、（１）電子番組情報を番組情報受信部で受信する。（２）受信した番組情報を番組情報保持部で保持（記憶）する。（３）番組キーワード入力部から、ユーザは検索したい番組のキーワードを入力する。すると（４）番組情報抽出部が番組情報保持部に保持されている番組情報の中から、番組キーワードを含む番組情報をサーチして抽出する。（５）番組情報抽出部で抽出された番組情報が、番組候補として保持される。番組候補となった番組情報は、表示画面に表示される。
【０００４】
しかし、上記従来の装置は、所望の番組を検索する都度、キーワードを入力する方式であり、時間と手間がかかっていた。
【０００５】
そこで、この発明では、ユーザが事前に入力したキーワードに対応する所望の番組情報が事前に検索され、保持されるような機能を設けることで、ユーザは電子番組供給元の影響を受けることなく、検索結果を容易に素早く得ることができる番組情報の処理装置を提供することを目的とする。
【課題を解決するための手段】
【０００６】
この発明は、電子番組情報を受信する電子番組情報受信部と、電子番組情報に含まれるキーワードを入力し、保存するキーワード入力及び保存部と、前記電子番組情報受信部で受信された電子番組情報の中から、前記キーワード入力及び保存部に保存されているキーワードに対応する電子番組情報を抽出する電子番組情報抽出手段と、前記電子番組情報抽出手段で抽出された電子番組情報を保存する抽出電子番組情報保存手段とを基本的に備えるものである。
【発明の効果】
【０００７】
本発明によると、キーワード入力及び保存部に、予めユーザは、所望の番組情報に含まれるキーワードをキーワード入力及び保存部に入力して保存させることにより、電子番組情報を受信すると直ぐに前記キーワード入力及び保存部に保存されているキーワードに対応する電子番組情報を抽出することができる。またユーザは電子番組供給元の影響を受けることなく、検索結果を容易に素早く得て利用することができる。また抽出した番組情報を用いて、予約録画なども便利とする。さらにまたこの抽出した番組情報を特定のメールアドレスに送信することも可能となる。
【発明を実施するための最良の形態】
【０００８】
以下、この発明の実施の形態を図面を参照して説明する。図１において、１００は、電子番組情報供給元である。電子番組情報供給元１００としては、ＥＰＧサーバー、デジタルテレビ、放送局からの地上波等がある。２００は、本発明の対象となる電子番組情報処理装置であり、例えばＤＶＤレコーダ、セットトップボックス（ＳＴＢ）等がある。
【０００９】
電子番組情報処理装置２００には、電子番組情報受信部２０１が設けられている。この電子番組情報受信部２０１は、電子番組情報を受信し、受信電子番組情報として出力する。
【００１０】
受信電子番組情報は、一旦メモリ２０２に格納される。メモリ２０２から導出される受信電子番組情報は、電子番組情報抽出部２０３に供給される。
【００１１】
一方、電子番組情報に含まれるキーワードを入力するキーワード入力部２０５が設けられている。ここで入力されたキーワードは、キーワード保持部２０４で保持される。キーワード入力部２０５は、リモートコントローラ、或は装置本体に設けられているキー入力部のいずれでもよいし、また両者が組み合せられていてもよい。
【００１２】
電子番組情報抽出部２０３は、メモリ２０２の受信電子番組情報の中に、キーワード保存部２０４のキーワードを含むものがあるかどうかを検索し、見つかった電子番組情報を抽出電子番組情報として出力する。キーワードは、複数を設定することができる。キーワードについてはさらに後述する。
【００１３】
電子番組情報抽出部２０３から出力された抽出電子番組情報には、キーワード情報付加部２０６において、対応するキーワードが付加される。キーワードが付加された抽出電子番組情報は、電子番組情報保存及び表示処理部２０７に入力され保存される。また操作に応答してその内容が表示装置３００に出力されて表示される。キーワード入力部２０５の操作状況は、コントローラ２０８により把握されており、操作状況に応じてコントローラ２０８は、この装置内の各ブロックを制御する。
【００１４】
図２は、抽出電子番組情報を得て、保存及び表示処理部２０７に供給するときの動作を示すフローチャートである。まず事前にキーワードがキーワード保存部２０４に保持されているものとする。システムの電源が投入されたとき、或は、メイン電源がオフであるが、補助電源がオンしている待機状態のときに、電子番組情報の抽出処理が開始する。この処理の開始は、予め定期的に行われるようにしてもよい。
【００１５】
電子番組情報受信部２０１は、電子番組供給元からの電子番組情報を取り込む（ステップＳＡ１）。電子番組情報抽出部２０３では、キーワード保存部２０４から事前に入力されているキーワードを取り込み（ステップＳＡ２）、比較対象として設定した受信電子番組情報内にキーワードが存在するかどうかを比較判定する。存在しなかった場合には、次の受信電子番組情報を設定し同様な判定を行う。そして全てのキーワードと比較対象として設定した電子番組情報との比較判定が終了したかどうかを判定する（ステップＳＡ３）。設定した電子番組情報内にキーワードが存在した場合には、当該電子番組情報を抽出し、キーワードを付加し、ステップＳＡ３に戻る。
【００１６】
図３には、キーワードに対応する電子番組情報が抽出され、抽出電子番組情報として保存される様子を概念的に示している。電子番組情報３０１、３０２、３０３が例えば順次受信され、メモリ２０２に格納されているものとする。また、キーワード保存部２０４には、「野球」、「サッカー」、「お笑い」、「新番組」などのキーワードが保存されているものとする。
【００１７】
ここで電子番組情報３０１に第1番目のキーワードである「野球中継」というワードが含まれていると（矢印参照）、この電子番組情報３０１が抽出電子番組情報３１１として保存及び表示処理部２０７に格納されることになる。この時、対応するキーワード情報が番組情報に付加される。また第4番目のキーワードとして「新番組」が与えられているが、このワードは、電子番組情報３０３に含まれている（矢印参照）。するとこの電子番組情報３０３が抽出電子番組情報３１３として保存及び表示処理部２０７に格納される。図３の抽出電子番組情報３１１、３１３は、表示形態そのものであってもよい。
【００１８】
図４はキーワード情報の仕組みの一例を示している。このキーワード情報は、例えば電子番組情報を表示部で表示するときにキーワードごとに分類したり関連情報を提示する場合に有効に利用されることになる。またユーザは、キーワードの情報を見ることにより、どのキーワードで検索された番組であるかを認識することができる。
【００１９】
本発明の場合は、予約するしないに関係なく、予めキーワードに対応する電子番組情報を取得することができる。
【００２０】
図4に示されるように例えば下位から第1番目のビットが「野球」、第２番目のビットが「サッカー」、第３番目のビットが「お笑い」、…というふうに関連付けられている。従ってキーワードとして、「お笑い」が入力されると、キーワード情報の第3番目のビットが“１”となる。また例えばキーワードとして、「野球」が入力されると、キーワード情報の第１番目のビットが“１”となる。またこの発明では、複数のキーワードを複合（グループ化）して設定することができる。例えば「お笑い」と、「野球」が入力されると、第3番目のビットと、第1番目のビットがそれぞれ“１”となる。これらはテーブル化されてメモリに格納されている。すると、この場合は、１００１となる。これは十進数であると“５”である。したがって、キーワード情報としては、「０ｘ０００００００５」のビットパターンで保存される。文字データ列を保存しないでビットパターンで保存するようにしたのは保存データ量を低減するためである。表示処理装置としては、この値からフラッグは“１００１”のパターンであり、「お笑い」と、「野球」のキーワードでヒットした番組であることを認識することが可能となる。そして表示のときは、「お笑い」と「野球」を含むようなタイトルが表示される。
【００２１】
なおキーワード情報としては、上記の実施の形態に限定されるものではなく、種々の内容が可能である。キーワードを設定する場合、操作キーから入力するのみならず、番組表から好みの記述部分をキーワードとしてコピーしてもよい。
【００２２】
図５は本発明が適用された例えばＤＶＤ記録再生装置の構成例を示している。
【００２３】
図５の映像データ記録再生装置は、２種類のディスクドライブ部を有する。光ディスク５０１は、ビデオファイルを構築できる情報記録媒体である。ディスクドライブ部５０２は、光ディスク５０１を回転駆動し、情報の読み書きを実行する。５０４はハードディスクを駆動するハードディスクドライブ部である。データプロセッサ部５０３は、ディスクドライブ部５０２及びハードディスクドライブ部５０４に記録データを供給することができ、また、再生された信号を受け取ることができる。ディスクドライブ部５０２は、光ディスク５０１に対する回転制御系、レーザ駆動系、光学系などを有する。
【００２４】
データプロセッサ部５０３は、記録または再生単位のデータを取り扱うもので、バッファ回路、変調・復調回路、エラー訂正部などを含む。
【００２５】
また図５の映像データ記録再生装置は、録画側を構成するエンコーダ部６００と、再生側を構成するデコーダ部７００と、装置本体の動作を制御するマイクロコンピュータブロック８００とを主たる構成要素としている。エンコーダ部６００は、入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。またその入力系統には、ＥＰＧ情報処理部６０１が設けられている。
【００２６】
エンコーダ部６０１の出力は、バッファメモリ６０３を含むフォーマッタ６０４にて所定のＤＶＤ−ＲＡＭのフォーマットに変換され、先のデータプロセッサ部５０３に供給される。エンコーダ部６００には、ＡＶ入力部６１１からの外部アナログビデオ信号と外部アナログオーディオ信号、あるいはＴＶチューナ６１２からのアナログビデオ信号とアナログオーディオ信号が、ＥＰＧ情報処理部６０１を介して入力される。
【００２７】
なお、エンコーダ部６００は、直接圧縮されたデジタルビデオ信号やデジタルオーディオ信号が直接入力されるときは、圧縮デジタルビデオ信号やデジタルオーディオ信号を直接フォーマッタ６０４に供給することもできる。またエンコーダ部６００は、アナログデジタル変換されたデジタルビデオ信号やオーディオ信号を、ビデオミキシング部７０５やオーディオセレクタ７０１に直接供給することもできる。
【００２８】
エンコーダ部６００に含まれるビデオエンコーダでは、デジタルビデオ信号はＭＰＥＧ２またはＭＰＥＧ１規格に基づいた可変ビットレートで圧縮されたデジタルビデオ信号に変換される。デジタルオーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００２９】
副映像信号がＡＶ入力部６１１から入力された場合（例えば副映像信号の独立出力端子付ＤＶＤビデオプレーヤからの信号など）、あるいはこのようなデータ構成のＤＶＤビデオ信号が放送されてそれがＴＶチューナ６１２で受信された場合は、ＤＶＤビデオ信号中の副映像信号が副映像エンコーダでエンコード（ランレングス符号化）されて副映像のビットマップとなる。
【００３０】
エンコードされたデジタルビデオ信号、デジタルオーディオ信号、副映像データは、フォーマッタ６０４にてパック化され、ビデオパック、オーディオパック、副映像パックとなり、さらにこれらが集合されてＤＶＤ−レコーディング規格（例えばＤＶＤ−ＲＡＭ、ＤＶＤ−Ｒ、ＤＶＤ−ＲＷなどに記録する規格）で規定されたフォーマットに変換される。
【００３１】
ここで図５の装置は、フォーマッタ６０４でフォーマット化された情報（ビデオ、オーディオ、副映像データなどのパック）及び作成された管理情報を、データプロセッサ部５０３を介してハードディスクドライブ部５０４あるいはデータディスクドライブ部５０２に供給し、ハードディスクあるいは光ディスク５０１に記録することができる。またハードディスクあるいは光ディスクに記録された情報を、データプロセッサ部５０３、ディスクドライブ部５０２を介して光ディスク５０１あるいはハードディスクに記録することもできる。
【００３２】
またハードディスクあるいは光ディスク５０１に記録されている複数番組のビデオオブジェクトを、一部削除したり、異なる番組のオブジェクトをつなげたり、といった編集処理を行うこともできる。これは、ＤＶＤフォーマットが取り扱うデータ単位を定義し、編集を容易にしているからである。
【００３３】
マイクロコンピュータブロック８００は、ＭＰＵ（マイクロプロセッシングユニット）、またはＣＰＵ（セントラルプロセッシングユニット）と、制御プログラム等が書きこまれたＲＯＭと、プログラム実行に必要なワークエリアを提供するためのＲＡＭとを含んでいる。
【００３４】
マイクロコンピュータブロック８００のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。
【００３５】
またマイクロコンピュータブロック８００は、システム全体を制御するために必要な情報処理部を有するもので、ワークＲＡＭ、ディレクトリ検出部、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備える。また、先に説明した電子番組情報の各種処理機能を有することは当然である。
【００３６】
ＭＰＵの実行結果のうち、ユーザに通知すべき内容は、映像データ記録再生装置の表示部８０２に表示されるか、またはモニターディスプレイにＯＳＤ（オンスクリーンディスプレイ）表示される。またマイクロコンピュータブロック８００は、この装置を操作するための操作信号を与えるキー入力部８０１を有する。なお、マイクロコンピュータブロック８００が、ディスクドライブ部５０２、ハードディスクドライブ部５０４、データプロセッサ部５０３、エンコーダ部６００及び／またはデコーダ部７００などを制御するタイミングは、ＳＴＣ（システムタイムクロック）８０３からの時間データに基づいて実行することができる。録画や再生の動作は、通常はＳＴＣ８０３からのタイムクロックに同期して実行されるが、それ以外の処理はＳＴＣ８０３とは独立したタイミングで実行されてもよい。
【００３７】
デコーダ部７００は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。またデコードされた主映像にデコードされた副映像を適宜合成し、主映像にメニュー、ハイライトボタン、字幕やその他の副映像を重ねて出力するビデオプロセッサを備えている。
【００３８】
デコーダ部７００の出力ビデオ信号は、ビデオミキシング部７０５に入力される。ビデオミキシング部７０５では、テキストデータの合成が行われる。またビデオミキシング部７０５には、ＴＶチューナ６１２やＡ／Ｖ入力部６１１からの信号を直接取り込むラインもまた接続されている。ビデオミキシング部７０５には、バッファとして用いるフレームメモリ７０６が接続されている。ビデオミキシング部７０５の出力がアナログ出力の場合はＩ／Ｆ（インタフェース）７０７を介して外部出力され、デジタル出力の場合はデジタルアナログ変換器７０８を介して外部へ出力される。
【００３９】
デコーダ部７００の出力オーディオ信号は、セレクタ７０１を介してデジタルアナログ変換器７０２でアナログ変換され外部に出力される。セレクタ７０１は、マイクロコンピュータブロック８００からのセレクト信号により制御される。これによりセレクタ７０１は、ＴＶチューナ６１２やＡ／Ｖ入力部６１１からのデジタル信号を直接モニタする時、エンコーダ部６００をスルーした信号を直接選択することも可能である。
【００４０】
なお、エンコーダ部６００のフォーマッタでは、録画中、各切り分け情報を作成し、定期的にマイクロコンピュータブロック８００のＭＰＵへ送る（ＧＯＰ先頭割り込み時などの情報）。切り分け情報としては、ＶＯＢＵ（ビデオオブジェクトユニット）のパック数、ＶＯＢＵ先頭からのＩピクチャのエンドアドレス、ＶＯＢＵの再生時間などである。
【００４１】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行われる。
【００４２】
また本装置では、ビデオファイルは１ディスクに１ファイルとしている。またデータをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００４３】
データプロセッサ部５０３は、エンコーダ部６００のフォーマッタからＶＯＢＵ単位のデータを受け取り、ＣＤＡ単位のデータをディスクドライブ部５０２あるいはハードディスクドライブ部５０４に供給している。またマイクロコンピュータブロック８００のＭＰＵは、記録したデータを再生するのに必要な管理情報を作成し、データ記録終了のコマンドを認識すると、作成した管理情報をデータプロセッサ部５０３に送る。これにより、管理情報がディスクに記録される。従って、エンコードが行われているとき、エンコーダ部６００からマイクロコンピュータブロック８００のＭＰＵは、データ単位の情報（切り分け情報など）を受け取る。また、マイクロコンピュータブロック８００のＭＰＵは、記録開始時には光ディスク及びハードディスクから読み取った管理情報（ファイルシステム）を認識し、各ディスクの未記録エリアを認識し、データ上の記録エリアをデータプロセッサ部５０３を介してディスクに設定している。
【００４４】
上記のように情報記録再生装置を用いた場合、電子番組情報（受信電子番組情報、抽出電子番組情報のいずれも）を記録し保存する媒体は多種可能である。ハードディスクでもよいし、マイクロコンピュータブロック８００内のＲＡＭであってもよい。
【００４５】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４６】
【図１】本発明の一実施の形態を示す構成説明図。
【図２】本発明の装置の動作例を説明するために示したフローチャート。
【図３】本発明の装置の動作を説明するために示した概念図。
【図４】本発明の装置の動作を説明するために示した概念図。
【図５】本発明の装置が情報記録再生装置に適用された状態を示す構成図。
【符号の説明】
【００４７】
１００…電子番組情報供給元、２００…電子番組情報処理装置、２０１…電子番組情報受信部、２０２…メモリ、２０３…電子番組情報抽出部、２０４…キーワード保持部、２０５…キーワード入力部、２０６…キーワード情報付加部、２０７…電子番組情報保存及び表示処理部、２０８…コントローラ、３００…表示装置。
【図１】
2005142752.tif 000003
【図２】
2005142752.tif 000004
【図３】
2005142752.tif 000005
【図４】
2005142752.tif 000006
【図５】
2005142752.tif 000007